(57)【要約】      （修正有）【課題】シンプルな構造で、挿抜時間を最短にできるカードモジュール固定構造を提供する。【解決手段】カードモジュールの固定用切欠部を嵌合させることによりカードモジュールの水平移動を規制するポール７、ならびにスライドさせてカードモジュールの垂直移動を規制、解除するフランジ８で構成し、該フランジにはスライド移動に際して所定の摩擦を与えて滑りを規制する機能を備える。【選択図】図５
0003217100.tif 000002
【実用新案登録請求の範囲】
【請求項１】
ｍＳＡＴＡ規格ＳＳＤ，Ｍ．２規格ＳＳＤなどのカードモジュールをコネクターに挿着して固定する構造に関して、カードモジュールの固定用切欠部を嵌合させることによりカードモジュールの水平移動を規制するポール、ならびにスライドさせてカードモジュールの垂直移動を規制、解除するフランジで構成し、フランジにはスライド移動に際して所定の負荷を与えて滑りを規制する機能を備えることを特徴とするカードモジユール固定構造。
【請求項２】
フランジの位置を検出してカードモジュールが解放状態か固定状態かを識別し、ＬＥＤなどにより表示する機能を備えた、請求項１に記載するカードモジユール固定構造。
【考案の詳細な説明】
【技術分野】
【０００１】近年、パソコンなどへの採用が盛んになりつつあるシリコンストレージのＭ．２  ＳＳＤなどは極めて小サイズのカードモジュールで大容量、高速なストレージが提供されるが、カードモジュールならびにコネクターが極めて小型なためカードモジュールをコネクターに装着して固定する方法として、カードモジュールの固定用の切欠部をネジ留めするなどが一般的に採用されているが、大量のカードモジュールに所要データを書き込み、消去する生産工程では、カードモジュールの挿抜操作に要する時間がデータの書き込み、消去時間より長時間を要する逆転現象が起こることによりカードモジュールの高速性が活かされない課題が指摘されている。
【背景技術】
【０００２】ｍＳＡＴＡ規格ＳＳＤ，Ｍ．２規格ＳＳＤなどのカードモジュールの固定用の切欠部をネジ留めする従来の工程においてデータの書き込み、検査などを行う場合は、カードモジュールをコネクターに装着して、カードモジュールの固定用の切欠部をネジで固定し、データの書き込み、消去などを行って後に固定用のネジを外してカードモジュールをコネクターから抜き取り、新たなカードモジュールに交換する作業が行われている。
【考案が解決しようとする課題】
【０００３】カードモジュールのコネクターへの挿抜操作においてネジで固定する従来の方式では、カードモジュールの挿抜操作に要する時間がデータの書き込み、消去時間より長時間を要する逆転現象が起こる場合が多く、カードモジュールの高速性が活かされないためカードモジュールの挿抜方法の改善が強く求められている。
【課題を解決するための手段】
【０００４】カードモジュールの固定用切欠部を嵌合させることによりカードモジュールの水平移動を規制するポール、ならびにスライドさせてカードモジュールの垂直移動を規制、解除するフランジで構成し、該フランジにはスライド移動に際して所定の摩擦を与えて滑りを規制する機能を備える。
【考案の効果】
【０００５】ポールにカードモジュールの固定用切欠部を嵌合させることによりカードモジュールの水平移動を規制し、フランジをスライドしてカードモジュールの垂直移動を規制、解除する極めてシンプルな構造により、作業者はフランジをスライドさせるのみでカードモジュールの挿抜が出来る。フランジは容易にスライドしないように、所定の摩擦を与えて滑りを規制する機能を備えているため誤動作も無いなど、カードモジュールの挿抜時間は最短を実現できる。
【考案を実施するための形態】
【０００６】図１に一般的なＭ．２規格ＳＳＤカードモジュールの構成概念図を示し、図２にカードモジュールをコネクターに装着した構成概念図を示す。Ｍ．２カードモジュールは２２８０（２２×８０ｍｍ），２２６０（２２×６０ｍｍ），２２４２（２２×４２ｍｍ）でサイズが規格化されていると共に、固定用切欠部２を固定するネジとしてはネジ頭φ５、ネジサイズＭ２が推奨されている。カードモジュールのサイズは極めて小型でパーツの搭載数も多いため、固定部分は推奨されるφ５程度のスペースで処理する必要が有る。図３の（１），（２）にコネクターに挿抜する場合の手順を記載してあるが、カードモジュール１をコネクター６に挿抜する場合は（１）に示す如くコネクターが推奨する所定角度θだけ傾けて挿抜する必要があり、推奨される角度はコネクターによっても異なるが２０度〜３０度程度である。コネクターへの装着が終わった場合は（２）に示すように傾きを０度に倒してφ２ｍｍ程度のポール７に固定用切欠部２を嵌合させた状態を維持してデータの書き込み、消去などを行う。カードモジュールを抜き取る場合は装着と逆の（２）→（１）→（抜き取り）の手順とする。
【０００７】カードモジュールがコネクターから外れないための固定手段は図４に示すごとく、カードモジュールの固定用切欠部２をポール７に嵌合させてカードモジュールの水平移動を規制し、カードモジュールの垂直移動はフランジ８をポール７の上にスライドさせて規制、解除する。（１）は規制解除の状態であり、（２）は規制（固定）状態を示す。フランジにはスライド移動に際して所定の摩擦を与えて滑りを規制する機能を備える。図５にポールとフランジによる固定構造を示。フランジ先端の固定部は、カードモジュールに許容される固定スペースがφ５ｍｍ程度のため概略φ５ｍｍに形成し、ベース１０の上面でストッパーピン９にガイドされてスライドさせる構造である。
【０００８】カードモジュールの規制、解除操作を容易にするため、フランジは固定せずベース１０に対するフランジの滑り具合を摩擦樹脂材や、マグネットなどにより所定の滑り状態に規制する。摩擦樹脂材の場合はフランジ８とベース１０の接触面に摩擦材を挿入し、マグネットの場合はフランジ８に強磁性体を利用してベース１０側にマグネットを取り付けることにより、磁石が吸引しつつ横方向に滑り易い性格を利用する。マグネットの場合は摩耗などによる影響が少ない。以上説明する通り、ポールとフランジと言う極めてシンプルな構造により、作業者はフランジをスライドさせるのみでカードモジュールの挿抜が出来るため誤操作も無いなどカードモジュールの挿抜時間は最短を実現できる。
【実施例】
【０００９】図４，図５に示すカードモジュール固定構造は、ポール７をφ２．０ｍｍ、基板の厚みは１．６ｍｍであるためポールの頭が基板から０．５ｍｍ程度突出するディメンジョンでアルミ材を採用、フランジ８は先端部径φ５ｍｍ、厚さ１ｍｍのＳＵＳ４３０磁性材を採用し、スライド幅は１０ｍｍとした。フランジはカードモジュールに直接接する必要は無く、垂直方向えの浮き上がりを押えれば良いため、フランジとポールの衝突を避けるためフランジとポールには１ｍｍ程度の隙間を設定した。ベース１０は非磁性のアルミ材、ストッパーピン９は真鍮としフランジの脱落と所定の位置でスライドを停止させる機能を有する。フランジを引き戻した状態ではフランジ８の先端はポール、カードモジユールの先端から完全に外れカードモジュールの傾斜回転に影響しない位置に設定した。またフランジの滑り規制としてはφ２．５ｍｍのネオジュームマグネットを使用した。さらにフランジの規制、解放状態を表示するためにフランジが規制位置に有る状態ではフォトカプラーによりフランジ位置を検出してＬＥＤで緑色の発色表示を行った。【００１０】このように、ポールにカードモジュールの固定用切欠部を嵌合させることによりカードモジュールの水平移動を規制し、フランジをスライドしてカードモジュールの垂直移動を規制、解除する極めてシンプルな構造により、作業者はフランジをスライドさせるのみでカードモジュールの挿抜が出来る。さらにフランジが容易に移動しないように、所定の摩擦を付与して滑りを規制する機能を備えているため誤動作も起きないなど、カードモジュールの挿抜時間は最短を実現できるとともに、フランジの位置をＬＥＤなどで表示することにより操作ミスも無くなるなどの特徴を備えている。なお、図５に示すポールとフランジの構成をまとめて一つのユニットにして、Ｍ．２のカードモジュールのサイズが異なる場合の位置変更をユニット単位で纏めて可能とするユニット化も可能であるとともに、フランジのスライドを電動化してスイッチで駆動させる事も可能であるなど、実施例で採用した素材、ディメンジョン、形状、構成などは実施の一例を示しており、本考案の趣旨を逸脱しない範囲であれば種々変形実施が可能である。
【図面の簡単な説明】
【００１１】
【図１】一般的なＭ．２規格ＳＳＤカードモジュールの構成概念図を示す。
【図２】一般的なＭ．２規格ＳＳＤカードモジュールをコネクターに装着した構成概念図を示す。
【図３】本考案に基づくカードモジュールの挿抜手順の構成概念図を示す。（１）所定角度でカードモジュールをコネクターに挿抜する状態を示す。（２）コネクターにカードモジュールが装着され、角度０に倒された状態を示す。（３）カードモジュールとフランジとの関係を示す。
【図４】本考案に基づくフランジのスライド構成概念図を示す。（１）カードモジュールの解放状態を示す。（２）カードモジュールの固定状態を示す。
【図５】本考案に基づくカードモジュール固定構造の構成概念図を示す。（１）外観構成のイメージを示す。（２）構成概念図を示す。
【符号の説明】１  カードモジュール        ７  ポール
２  固定用切欠部            ８  フランジ
４  パーツ                  ９  ストッパーピン
５  パーツ                １０  ベース
６  コネクター
【図１】
0003217100.tif 000003
【図２】
0003217100.tif 000004
【図３】
0003217100.tif 000005
【図４】
0003217100.tif 000006
【図５】
0003217100.tif 000007